(57)【要約】【課題】内容物を取り出した分だけ収縮して減容化することでガタツキを生じないとともに、収縮するごとに確実にロックする機構を有する。【解決手段】内容器２０には、開放した開口端縁に延設したフラップ２１ａが形成されており、外容器１０には、内容器２０のフラップ２１ａを当接させるための係止段差部αが前後方向に連続して複数箇所に形成されており、内容器２０のフラップ２１ａを後方に向かって外側に折り返した状態で、外容器１０の開放した開口端縁に内容器２０の開放した開口端縁を挿入することにより外容器１０と内容器２０とが組み合わされている。一列に並ぶ粒状の内容物Ａの１個分に相当する１ストロークを押し込むごとに、内容器２０の折返し状態のフラップ２１ａがその弾発力により外容器１０の係止段差部αに順次嵌まり込んで当接し、それぞれの位置で外容器１０に対して内容器２０が逆戻りできない。【選択図】図１
2014065503.tif 000002
【特許請求の範囲】
【請求項１】
一方の開口端縁に蓋部分を有するとともに他方の開口端縁が開放した角筒状の外容器と、一方の開口端縁が閉鎖するとともに他方の開口端縁が開放した角筒状の内容器とからなり、内容器には、開放した開口端縁に延設したフラップ或いは切込みにより区画されたフラップが形成されており、外容器には、内容器のフラップを当接させるための係止段差部が前後方向に連続して複数箇所に形成されており、内容器のフラップを後方に向かって外側に折り返した状態で、外容器の開放した開口端縁に内容器の開放した開口端縁を挿入することにより外容器と内容器とが組み合わされ、一列に並ぶ粒状の内容物の１個分に相当する１ストロークを押し込むごとに、内容器の折返し状態のフラップがその弾発力により外容器の係止段差部に順次嵌まり込んで当接し、それぞれの位置で外容器に対して内容器が逆戻りできないようになっていることを特徴とする包装容器。
【請求項２】
フラップを、内容器における開放した開口端縁に延設したことを特徴とする請求項１に記載の包装容器。
【発明の詳細な説明】
【技術分野】
【０００１】
本発明は、板紙からなる包装容器の技術分野に属し、詳しくは、ガム、飴、チョコレート等をはじめとする粒状の菓子類を収納して販売する際に用いられる包装容器に関するものである。
【背景技術】
【０００２】
従来より、この種の包装容器として、角筒状の外容器とそれに挿入するトレー状の内容器とからなり、一列に並べた粒状の内容物を取り出してその数が減少した場合に、容器全体を縮小してその容量を減容化するようにした組合せタイプの包装容器が知られている（例えば、特許文献１，２等参照）。
【０００３】
特許文献１には、トレー状に形成された箱体の中央に、長手方向に壁板の高さと略同一の間隔をとって並ぶ二つの折り部からなる折曲可能な節を備え、節から箱体一端側までの一方の箱部の内側に節から箱体他端まで他端の箱部を折り入れ可能にしてあり、収納物が少なくなってきたときにその箱体をスリーブから取り出して二つ折りすることで半分以下の大きさとする包装容器が記載されている。
【０００４】
また、特許文献２には、一方の端縁を蓋構造で開閉自在とし他方の端縁を開放した角筒状の外容器と、一方の端縁が閉鎖されているとともに他方の端縁が開放されている内容器とからなり、外容器に少なくとも２つ以上の摺動切欠を穿設するとともに、内容器に外容器の摺動切欠に係合する摺動突起を突設してあり、内容物の個数或いは容量が漸減するのに合わせ、入れ子状態の外容器と内容器とが縮小してカートン全体の容積を減容化することを可能とした包装容器が記載されている。
【先行技術文献】
【特許文献】
【０００５】
【特許文献１】特開２００２−３３７８５０号公報
【特許文献２】特開２００９−７３５６１号公報
【発明の概要】
【発明が解決しようとする課題】
【０００６】
上記した前者の包装容器は、携帯中に内容物が減少したときに、箱体をスリーブから抜き出し、その箱体を二つ折りすることで容器を縮小できるというものではあるが、外側のスリーブが不要となってその処理に困るという問題がある。しかも、粒状の内容物を一つずつ取り出すごとに小さくなるものではなく、取り出した内容物の分だけ隙間ができてしまい携帯中などにガタツキを生じる。
【０００７】
また、後者の包装容器は、粒状をした内容物の個数が漸減するのに合わせ、外容器と内容器を摺動させることで全体の容積を減容化できるが、縮小させた際の内容器と外容器とは、切欠と突起で係合させるようになっているため、少し大きな力が掛かると簡単に外れてしまうことがある。
【０００８】
本発明は、このような問題点に鑑みてなされたものであり、その目的とするところは、内容物を取り出した分だけ収縮して減容化することでガタツキを生じないとともに、収縮するごとに確実にロックする機構を有し、抜け落ちの防止を図った包装容器を提供することにある。
【課題を解決するための手段】
【０００９】
上記の目的を達成するため、本発明に係る包装容器は、一方の開口端縁に蓋部分を有するとともに他方の開口端縁が開放した角筒状の外容器と、一方の開口端縁が閉鎖するとともに他方の開口端縁が開放した角筒状の内容器とからなり、内容器には、開放した開口端縁に延設したフラップ或いは切込みにより区画されたフラップが形成されており、外容器には、内容器のフラップを当接させるための係止段差部が前後方向に連続して複数箇所に形成されており、内容器のフラップを後方に向かって外側に折り返した状態で、外容器の開放した開口端縁に内容器の開放した開口端縁を挿入することにより外容器と内容器とが組み合わされ、一列に並ぶ粒状の内容物の１個分に相当する１ストロークを押し込むごとに、内容器の折返し状態のフラップがその弾発力により外容器の係止段差部に順次嵌まり込んで当接し、それぞれの位置で外容器に対して内容器が逆戻りできないようになっていることを特徴とする。
【００１０】
そして、上記の包装容器において、フラップを、内容器における開放した開口端縁に延設する方が好ましい。
【発明の効果】
【００１１】
本発明の包装容器は、外容器の蓋部分を開けて粒状の内容物を一つずつ取り出すと容器内に空間が生じるが、外容器に対して内容器を押し込むことにより、開いた空間の分だけ長手方向の寸法が縮小して容器の容量を減縮させることができ、しかも、内容器の折返し状態のフラップが外容器の係止段差部に嵌まり込んで当接し、その位置で外容器に対して内容器が逆戻りできないので、取り出した分だけ減容化することでガタツキを生じないとともに、収縮するごとに確実にロックされて逆戻りできないことから、手で持ち運びしたりしても内容器が外容器から抜け落ちるようなことがない。
【００１２】
そして、フラップを、内容器における開放した開口端縁に延設する方が容器内部の容量を大きくすることができる。
【図面の簡単な説明】
【００１３】
【図１】本発明に係る包装容器の一例を示すもので、その構成部材である外容器と内容器を分離状態で示す斜視図である。
【図２】図１の包装容器のうちの外容器を組み立てるブランクの展開図である。
【図３】図１の包装容器のうちの内容器を組み立てるブランクの展開図である。
【図４】図１の包装容器を収納状態で示す斜視図である。
【図５】図４の包装容器を内容物を１個取り出した状態で示す斜視図である。
【図６】図４の包装容器を内容物を２個取り出した状態で示す斜視図である。
【図７】図４の包装容器を内容物を３個取り出した状態で示す斜視図である。
【発明を実施するための形態】
【００１４】
以下、本発明の実施形態について図面を参照しながら詳細に説明する。
【００１５】
図１に示す包装容器は、図示のように、一方の開口端縁に蓋部分Ｃを有するとともに他方の開口端縁が開放した角筒状の外容器１０と、一方の開口端縁が閉鎖するとともに他方の開口端縁が開放した角筒状の内容器２０とからなり、外容器１０の開放した開口端縁に内容器２０の開放した開口端縁を挿入することにより両者が組み合わされ、その中に粒状の菓子類などの７個の内容物Ａが一列に並んだ状態で収納されるものである。
【００１６】
図２は外容器１０を組み立てるブランクの展開図である。このブランクは板紙を図示の形状に打ち抜いたもので、底面パネル１１、側面パネル１２、天面パネル１３、側面パネル１４、底面内側パネル１５が折線を介して順次連設された形状をしている。図の左側が前方になっており、底面パネル１１の前方には蓋パネル１６が連設され、その蓋パネル１６の前方には上覆いパネル１７が連設され、その上覆いパネル１７の前端縁には差込み片１７ａが突設されており、また蓋パネル１６の両サイドにはそれぞれ横覆いパネル１８が連設され、各横覆いパネル１８の前方にはそれぞれ折込み片１９が連設されている。
【００１７】
底面内側パネル１５には、図示のように、前端縁に矩形状の切欠ａが形成されているとともに、その切欠ａ及びそれと同じ矩形状をした３つの開口ｂが、前方から後方に向かって広がる三角状の開口ｃを介して全て繋がった状態で一定間隔で形成されている。このような形状の抜き部分１５ａを形成しておくことで、ブランクを組み立てた際に外容器１０の底面に左右方向の４つの係止段差部αが一定間隔で前後方向に並んで形成されることになる。
【００１８】
天面パネル１３には、その前端縁に略全体に渡るサイズをした大きな円弧状の切欠１３ａが形成されているとともに、その切欠１３ａの内側には、上覆いパネル１７の前方にある差込み片１７ａを係止するための切込み線１３ｂが形成されている。また、側面パネル１２，１４にはその前端に半円状の切欠１２ａ，１４ａが形成されている。
【００１９】
図３は内容器２０を組み立てるブランクの展開図である。このブランクは板紙を図示の形状に打ち抜いたもので、図の左側が前方になっており、外容器１０と略同じ前後長さをした底面パネル２１の一方の長辺側に折線を介して側面パネル２２、上面パネル２３、側面パネル２４が順次連設され、底面パネル２１の他方の長辺側に折線を介して糊代片２５が連設されている。
【００２０】
底面パネル２１の前方には、押罫の途中にミシン目を設けたリード罫を介して折曲げ可能なフラップ２１ａが延設されており、このフラップ２１ａの先端部分は、外容器１０の底面に設けられる係止段差部αに嵌まり込むサイズに設定されている。また、底面パネル２１の後方には折線を介して内側蓋パネル２６が連設され、上面パネル２３の後方には折線を介して蓋パネル２７が連設され、各側面パネル２２，２４の後方にはそれぞれ折込み片２８，２９が連設されている。
【００２１】
また、天面パネル２３には、その前端縁に略全体に渡るサイズをした大きな円弧状の切欠２３ａが形成されており、側面パネル２２，２４にはその前端に半円状の切欠２２ａ，２４ａが形成されている。
【００２２】
包装容器を作成するには、図２と図３のブランクをそれぞれ組み立てて図１に示す外容器１０と内容器２０の形状にし、それら両者を組み合わせた包装容器の中に、前記したように７個の内容物Ａを一列に並べた状態で収納する。
【００２３】
図２のブランクを組み立てて外容器１０を形成するには、まず、底面パネル１１の内面に底面内側パネル１５を貼り合わせてサック貼り状態とし、必要なときに起函する。これにより、図１に示す如く、底面パネル１１と底面内側パネル１５が重なって２重底が形成され、そこには内側底面パネル１５の抜き部分１５ａにより４箇所の係止段差部αが前後方向に一定間隔で並んだ状態で形成される。また、折込み片１９を内側に折り曲げた状態で両サイドの横覆いパネル１８を起立させた後、上覆いパネル１７を起こしてその内面側を一対の折込み片１９に貼り合わせることで、底面パネル１１の前方に箱状の蓋部分Ｃを形成する。
【００２４】
一方、図３のブランクを組み立てて内容器２０を形成するには、まず、側面パネル２４の内面に糊代片２５を貼り合わせてサック貼り状態にする。次いで、このサック貼り状態のものを角筒状に起こし、後方の折込み片２８，２９を両者ともに内側に折り曲げてから、内側蓋パネル２６と蓋パネル２７を順に内側に折り曲げて互いに貼り合わせることにより箱状にする。
【００２５】
このように、外容器１０と内容器２０を形成した後、内容器２０の中に４個の内容物Ａを並べて投入するとともに、内容器２０の底面パネル２１の前方にあるフラップ２１ａを後方に向かって外側に折り返した状態にし、この折返し状態のまま、外容器１０の開放した開口端縁に内容器２０の開放した開口端縁を挿入する。そして、フラップ２１ａがその曲げの反発力により最初の係止段差部αに嵌まり込んで当接するまで挿入する。しかる後、外容器１０の前方から残り３個の内容物Ａを並べて投入し、底面パネル１１の前方にある蓋部分Ｃを折り曲げて外容器１０の前側を閉じるとともに、上覆いパネル１７の差込み片１７ａを天面パネル１３の切込み線１３ｂに差し込んで係止する。これにより、外容器１０と内容器２０とからなる包装容器は、図４に示す如く７個の内容物Ａを収納した状態となる。
【００２６】
この包装容器では、内容器２０における底面パネル２１の前方にフラップ２１ａを延設してあるので、開放した開口端縁に折曲げ可能なフラップ２１ａが延設されることになり、切込みにより底面パネル２１に折曲げ可能なフラップを区画する場合に比べると容器内部の容量が大きくなる。
【００２７】
図４に示す包装容器から内容物Ａを取り出すには、外容器１０の蓋部分Ｃを開けて中の内容物Ａを順次取り出すことになる。このとき、蓋部分Ｃを開けると一番手前の内容物Ａが露出するので、これを摘んで取り出した後、内容器２０を外容器１０に対して１個分に相当する１ストロークを押し込み、フラップ２１ａの先端を一つ奥の係止段差部αに当接させてから蓋部分Ｃを閉じればよい。あるいは、内容器２０を外容器１０に対して１ストロークだけ押し込んで、内容物Ａを蓋部分Ｃのところに押し出してから、摘んで取り出してもよい。このとき、外容器１０の天面パネル１３には円弧状の切欠１３ａが、側面パネル１２，１４には半円状の切欠１２ａ，１４ａが設けてあるので、内容物Ａを摘んで取り出すのが容易となる。
【００２８】
包装容器から内容物Ａを１個だけ取り出すと、図５に示すように、包装容器は取り出した１個分だけ収縮した状態となる。同様にして、内容物Ａを順次取り出すことにより、図６に示す如く２個取り出した収縮状態とすることができ、図７に示す如く３個取り出した収縮状態とすることができる。また、一度に複数個の内容物Ａを取り出した場合も同様にして収縮することができる。ただし、この包装容器は収縮して減容化するが、図７に示す約半分の長さ以下にはならない。
【００２９】
また、図７に示す一番縮んだ状態では、内容器２０における天面パネル２３の円弧状の切欠１３ａと側面パネル２２，２４の半円状の切欠１２ａ，１４ａが、それぞれ外容器１０における天面パネル１３の切欠１３ａと側面パネル１２，１４の切欠１２ａ，１４ａに重なるので、蓋部分Ｃを開けた状態で内容物Ａを摘んで取り出すのが容易となるのは変わらない。
【００３０】
このように、図４の包装容器は、一列に並ぶ粒状の内容物Ａの１個分に相当する１ストロークを押し込むごとに、内容器２０の折返し状態のフラップ２１ａがその弾発力により外容器１０の係止段差部αに順次嵌まり込んで当接し、それぞれの位置で外容器１０に対して内容器２０が逆戻りできない状態になる。したがって、取り出した分だけ収縮して減容化することができ、しかも隙間がないのでガタツキを生じることがない。
【００３１】
以上、本発明を実施するための形態について詳細に説明してきたが、本発明による包装容器は、上記の実施形態に何ら限定されるものではなく、本発明の趣旨を逸脱しない範囲において種々の変更が可能である。
【００３２】
例えば、上記の例では、内容器２０の底面パネル２１の前方に折曲げ可能なフラップ２１ａを延設することで、外容器１０の係止段差部αに当接するフラップ２１ａを設けるようにしたが、このように開口端縁にフラップを延設するのに代えて、例えば内容器２０の底面パネル２１に適宜形状の切込みを形成することで、折曲げ可能なフラップを区画するようにしてもよい。
【符号の説明】
【００３３】
１０  外容器
１１  底面パネル
１２  側面パネル
１２ａ  切欠
１３  天面パネル
１３ａ  切欠
１３ｂ  切込み線
１４  側面パネル
１４ａ  切欠
１５  底面内側パネル
１５ａ  抜き部分
１６  蓋パネル
１７  上覆いパネル
１７ａ  差込み片
１８  横覆いパネル
１９  折込み片
２０  内容器
２１  底面パネル
２１ａ  フラップ
２２  側面パネル
２２ａ  切欠
２３  上面パネル
２３ａ  切欠
２４  側面パネル
２４ａ  切欠
２５  糊代片
２６  内側蓋パネル
２７  蓋パネル
２８，２９  折込み片
ａ  切欠
ｂ，ｃ  開口
α  係止段差部
Ａ  内容物
Ｃ  蓋部分
【図１】
2014065503.tif 000003
【図２】
2014065503.tif 000004
【図３】
2014065503.tif 000005
【図４】
2014065503.tif 000006
【図５】
2014065503.tif 000007
【図６】
2014065503.tif 000008
【図７】
2014065503.tif 000009